(57)【要約】【課題】スリーブのストレーナ装着部に対し、ストレーナが径方向外方へはみ出すことを抑制することができる電磁弁のストレーナ装着構造を提供する。【解決手段】電磁弁のスリーブ２１に形成された入力ポート、出力ポート等のポート３０の開口部に対応するスリーブ２１の外周面には、横断面で円形又は円弧状のストレーナ装着部６０が形成される。ストレーナ７０は、板ばね材によって横断面Ｃ字状に形成されると共に、中央部領域７１と、この中央部領域７１の両端に連続して形成された両開口部領域７４とを有する。中央部領域７１の横断面の曲率半径ｒは、ストレーナ装着部６０の横断面の曲率半径Ｒａよりも小さく設定される。両開口部領域７４の曲率半径Ｒは、中央部領域７１の曲率半径ｒよりも大きく、かつストレーナ装着部６０の横断面の曲率半径Ｒａ以下に設定されている。【選択図】図４
2014167321.tif 000002
【特許請求の範囲】
【請求項１】
電磁弁のスリーブに形成された入力ポート、出力ポート等のポートの開口部にストレーナを装着するためのストレーナ装着構造であって、
前記ポートの開口部に対応するスリーブの外周面には、横断面で円形又は円弧状のストレーナ装着部が形成され、
前記ストレーナは、板ばね材によって横断面Ｃ字状に形成されると共に、中央部領域と、この中央部領域の両端に連続して形成された両開口部領域とを有し、
前記中央部領域の横断面の曲率半径は、前記ストレーナ装着部の横断面の曲率半径よりも小さく設定され、
前記両開口部領域の曲率半径は、前記中央部領域の曲率半径よりも大きく、かつストレーナ装着部の横断面の曲率半径以下に設定されていることを特徴とする電磁弁のストレーナ装着構造。
【請求項２】
請求項１に記載の電磁弁のストレーナ装着構造であって、
開口部領域の曲率半径は、トレーナ装着部の横断面の曲率半径とほぼ同等に設定されていることを特徴とする電磁弁のストレーナ装着構造。
【請求項３】
請求項１又は２に記載の電磁弁のストレーナ装着構造であって、
ストレーナ装着部は、スリーブの外周面にストレーナの板幅寸法よりも僅かに大きい溝幅寸法をもって凹設された横断面で円形又は円弧状をなすストレーナ装着溝によって構成されていることを特徴とする電磁弁のストレーナ装着構造。
【請求項４】
請求項３に記載の電磁弁のストレーナ装着構造であって、
ストレーナ装着溝の溝深さ寸法は、ストレーナの板厚寸法よりも大きく設定されていることを特徴とする電磁弁のストレーナ装着構造。
【発明の詳細な説明】
【技術分野】
【０００１】
この発明は、電磁弁（圧力制御弁、流量制御弁等の電磁弁）のスリーブに形成された入力ポート、出力ポート等のポートの開口部に対しストレーナを装着するためのストレーナ装着構造に関する。
【背景技術】
【０００２】
従来、図６と図７に示すように、電磁弁のスリーブ１２１に形成された入力ポート、出力ポート等のポート１３０の開口部に対応するスリーブ１２１の外周面部分に形成された横断面で円形又は円弧状のストレーナ装着部１６０に装着されるストレーナ１７０は、その中央部領域から開口部領域の両端にわたって、横断面の曲率半径ｒ’が均一で、ストレーナ装着部１６０の横断面の曲率半径Ｒａ’よりも適宜に小さく設定されている。
そして、ストレーナ装着部１６０に対しストレーナ１７０を装着する場合、先ず、ストレーナ１７０の開口部領域の両端の間の間隔寸法Ｗａ’をストレーナ装着部１６０の直径寸法２Ｒａ’よりも適宜に大きくなるように拡開変形させた状態で、ストレーナ装着部１６０の外周面に嵌込む。その後、ストレーナ１７０を解放することで、ストレーナ１７０が自身の復元力によってストレーナ装着部１６０に装着される。
また、電磁弁のストレーナ装着構造としては、例えば、特許文献１に開示されている。
【先行技術文献】
【特許文献】
【０００３】
【特許文献１】特開２００６−２５８１６１号公報
【発明の概要】
【発明が解決しようとする課題】
【０００４】
ところで、図６と図７に示すような従来の電磁弁のストレーナ装着構造においては、ストレーナ装着部１６０に対しストレーナ１７０を装着する際に、ストレーナ１７０の両開口部領域の両端の間の間隔寸法Ｗａ’をストレーナ装着部１６０の直径寸法２Ｒａ’よりも適宜に大きくなるように拡開変形させると、ストレーナ１７０の中央部領域の一部に塑性変形による塑性域Ａ’（例えば、図６の二点差線で囲まれ部分）が生じることがある。
また、ストレーナ１７０の開口部領域の両端を大きく拡開変形させればさせるほどその塑性域Ａの範囲が大きくなる。
このようなことから、ストレーナ装着部１６０の外周面にストレーナ１７０を嵌込んだ後、ストレーナ１７０が自身の復元力によってストレーナ装着部１６０に装着された状態において、図６に示すように、ストレーナ１７０の中央部領域の中心部Ｐ１と両開口部領域の両端Ｐ２とがストレーナ装着部１６０に当接して装着される。そして、ストレーナ１７０とストレーナ装着部１６０との間には大きい隙間Ｓ’が発生し、この隙間Ｓ’に相当する分だけストレーナ装着部１６０の外周面からストレーナ１７０は径方向へ拡がり、スリーブ１２１の外周面１２１ａからストレーナ１７０が径方向外方へはみ出す。
このため、電磁弁のスリーブ１２１のストレーナ装着部１６０にストレーナ１７０を装着した後、電磁弁のスリーブ１２１を、例えば、ＣＶＴのバルブボディの組込み部に挿入する際、ストレーナ１７０の径方向のはみ出し部分が妨害物となり、組み込み作業が厄介となる。また、ストレーナ装着部１６０に対しストレーナ１７０が位置ずれしたり、あるいは、ストレーナ装着部１６０からストレーナ１７０が外れて離脱する等の組み付け不良が発生することが懸念される。
【０００５】
この発明の目的は、前記問題点に鑑み、スリーブの外周面に対し、ストレーナが径方向外方へはみ出すことを抑制することができる電磁弁のストレーナ装着構造を提供することである。
【課題を解決するための手段】
【０００６】
前記課題を解決するために、この発明の請求項１に係る電磁弁のストレーナ装着構造は、電磁弁のスリーブに形成された入力ポート、出力ポート等のポートの開口部にストレーナを装着するためのストレーナ装着構造であって、
前記ポートの開口部に対応するスリーブの外周面には、横断面で円形又は円弧状のストレーナ装着部が形成され、
前記ストレーナは、板ばね材によって横断面Ｃ字状に形成されると共に、中央部領域と、この中央部領域の両端に連続して形成された両開口部領域とを有し、
前記中央部領域の横断面の曲率半径は、前記ストレーナ装着部の横断面の曲率半径よりも小さく設定され、
前記両開口部領域の曲率半径は、前記中央部領域の曲率半径よりも大きく、かつストレーナ装着部の横断面の曲率半径以下に設定されていることを特徴とする。
【０００７】
前記構成によると、ストレーナ装着部に対しストレーナを装着する場合、先ず、ストレーナの開口部領域の両端の間の間隔寸法をストレーナ装着部の直径寸法よりも適宜に大きくなるように拡開変形させる。この状態で、ストレーナ装着部の外周面に嵌込み、その後、ストレーナを解放することで、ストレーナが自身の復元力によってストレーナ装着部に装着される。
ストレーナ装着部の外周面にストレーナが自身の復元力によって装着された状態において、ストレーナの両開口部領域の曲率半径は、中央部領域の曲率半径よりも大きく、かつストレーナ装着部の横断面の曲率半径以下に設定されている。このため、ストレーナの両開口部領域は、ストレーナ装着部の円弧面に接近して装着される。
この結果、ストレーナの両開口部領域の両端の間の間隔寸法がストレーナ装着部の直径寸法よりも適宜に大きくなるように拡開変形させたときに、ストレーナの中央部領域の一部に塑性変形による塑性域が生じたとしても、ストレーナとストレーナ装着部との間に発生する隙間を小さく抑えることができる。
これによって、スリーブの外周面からのストレーナの径方向外方へのはみ出しを抑制することができるため、電磁弁のスリーブを、例えば、ＣＶＴのバルブボディの組込み部に挿入する際、ストレーナの径方向のはみ出し部分が妨害物となることを抑制することができ、組み込み作業が容易となる。
【０００８】
請求項２に係る電磁弁のストレーナ装着構造は、請求項１に記載の電磁弁のストレーナ装着構造であって、
開口部領域の曲率半径は、トレーナ装着部の横断面の曲率半径とほぼ同等に設定されていることを特徴とする。
【０００９】
前記構成によると、ストレーナの両開口部領域の曲率半径がストレーナ装着部の横断面の曲率半径とほぼ同等に設定されることで、ストレーナの両開口部領域は、ストレーナ装着部の円弧面に当接して装着される。これによって、スリーブの外周面からのストレーナの径方向外方へのはみ出しをより一層良好に抑制することができる。
【００１０】
請求項３に係る電磁弁のストレーナ装着構造は、請求項１又は２に記載の電磁弁のストレーナ装着構造であって、
ストレーナ装着部は、スリーブの外周面にストレーナの板幅寸法よりも僅かに大きい溝幅寸法をもって凹設された横断面で円形又は円弧状をなすストレーナ装着溝によって構成されていることを特徴とする。
【００１１】
前記構成によると、ストレーナの板幅寸法よりも僅かに大きい溝幅寸法をもつストレーナ装着溝にストレーナが装着されることで、ストレーナの軸方向の動きが規制されるため、ストレーナ装着溝に対しストレーナが不測に位置ずれすることを抑制することができる。
また、ストレーナ装着溝にストレーナが装着されることで、ストレーナ装着溝の溝深さに相当する分だけスリーブの外周面に対するストレーナの径方向外方へのはみ出しを抑制することができる。
【００１２】
請求項４に係る電磁弁のストレーナ装着構造は、請求項３に記載の電磁弁のストレーナ装着構造であって、
ストレーナ装着溝の溝深さ寸法は、ストレーナの板厚寸法よりも大きく設定されていることを特徴とする。
【００１３】
前記構成によると、ストレーナ装着溝の溝深さ寸法がストレーナの板厚寸法よりも大きく設定されているため、スリーブの外周面に対するストレーナの径方向外方へのはみ出し抑制に効果が大きい。
【図面の簡単な説明】
【００１４】
【図１】この発明の実施例１に係る電磁弁のスリーブの出力ポート及び入力ポートの開口部に対応するストレーナ装着部にストレーナが装着された状態を示す縦断面図である。
【図２】同じくストレーナ装着部にストレーナが装着された状態を示す図１のＩＩ−ＩＩ線に沿う横断面図である。
【図３】同じくストレーナ単体を示す斜視図である。
【図４】同じくストレーナ単体を示す横断面図である。
【図５】同じくストレーナの両開口部領域の両端の間の間隔寸法をストレーナ装着部の直径寸法よりも適宜に大きくなるように拡開変形させた状態を示す横断面図である。
【図６】従来のストレーナ装着部にストレーナが装着された状態を拡大して示す横断面である。
【図７】同じくストレーナの両開口部領域の両端の間の間隔寸法をストレーナ装着部の直径寸法よりも適宜に大きくなるように拡開変形させた状態を示す横断面図である。
【発明を実施するための形態】
【００１５】
この発明を実施するための形態について実施例にしたがって説明する。
【実施例１】
【００１６】
この発明の実施例１を図１〜図５にしたがって説明する。
図１に示すように、電磁弁は、ソレノイド部１０と、スプール部２０とを備えている。
ソレノイド部１０は、ケース体１１内に、コイル、ステータコア、プランジャ１４等が配設されて構成されている。
【００１７】
スプール部２０は、スリーブ２１とスプール５０とを備えている。スリーブ２１は、中心孔２２を有して円筒状に形成され、その一端部がケース体１１の端部にかしめ等によって固定されている。スリーブ２１の中心孔２２には、軸方向に複数の弁孔２３、２４、２５が形成されている。
また、スリーブ２１には、中心孔２２に連通する出力ポート３０、入力ポート４０等のポートが軸方向に所定間隔を隔てて形成されている。
【００１８】
図１に示すように、スリーブ２１の中心孔２２には、スプール５０が軸方向へ移動可能に配設されている。このスプール５０には、スリーブ２１の複数の弁孔２３、２４、２５に対応する複数のランド部５１、５２、５３が軸方向に所定間隔を隔てて形成されている。
また、スプール５０は、その一端がプランジャ１４に常に当接するように、ばね４６によってプランジャ１４側へ付勢されしている。
【００１９】
さて、スリーブ２１の外周面には、出力ポート３０や入力ポート４０等のポートの開口部に対応する外周面部分、図１では、出力ポート３０及び入力ポート４０の開口部にそれぞれ対応する外周面部分に、横断面で円形又は円弧状のストレーナ装着部６０が形成されている。
この実施例１において、ストレーナ装着部６０は、出力ポート３０及び入力ポート４０の開口部の軸方向の幅寸法及び周方向の長さ寸法よりも大きく、かつ次に詳述するストレーナ７０、８０の板幅寸法よりも僅かに大きい溝幅寸法をもって凹設された横断面で円形又は円弧状をなすストレーナ装着溝６１、６５によって構成されている。
また、ストレーナ装着溝６１、６５の溝深さ寸法は、ストレーナ７０、８０の板厚寸法よりも適宜に大きく設定されている。
【００２０】
ストレーナ装着溝６１、６５に装着される各ストレーナ７０、８０は、オイル中に混入された塵等を除去するものであり、多孔板、網目板等の板ばね材、例えば、ステンレス鋼板、銅板等の薄板金属板によって横断面Ｃ字状に形成されている。ストレーナ装着溝６１、６５に装着される各ストレーナ７０、８０のうち、出力ポート３０に対応するストレーナ装着溝６１に装着されるストレーナ７０は、図３と図４に示すように、中央部領域７１と、この中央部領域７１の両端に連続して形成され、かつ中央部領域７１とは横断面の曲率半径が異なる両開口部領域７４とを有している。
【００２１】
図４に示すように、中央部領域７１の曲率半径ｒは、ストレーナ装着溝６１の横断面の曲率半径Ｒａよりも小さく設定されている。
また、両開口部領域７４の曲率半径Ｒは、中央部領域７１の曲率半径ｒよりも大きく、かつストレーナ装着溝６１の横断面の曲率半径Ｒａ以下にに設定されている。
また、ストレーナ装着溝６１の横断面の曲率半径Ｒａとほぼ同等に設定されることが望ましい。
また、中央部領域７１は、１８０度前後の円弧で形成され、両開口部領域７４は、中央部領域７１の円弧の両端からそれぞれ５０度前後の円弧の範囲で形成されている。さらに、両開口部領域７４の開口幅寸法Ｗは、ストレーナ装着溝６１の円弧の直径寸法２Ｒａよりも適宜に小さく設定されている。
また、この実施例１において、図３と図４に示すように、ストレーナ７０の中央部領域７１の全域及び両開口部領域７４の一部にわたる部分に多数の孔（小孔）７２が貫設されている。
【００２２】
また、入力ポート４０に対応するストレーナ装着溝６５に装着されるストレーナ８０においても、前記した出力ポート３０に対応するストレーナ装着溝６１に装着されるストレーナ７０と同様の設定条件をもって形成されるため、その説明は省略する。
【００２３】
この実施例１に係る電磁弁のストレーナ装着構造は上述したように構成される。
したがって、ストレーナ装着部６０としてのストレーナ装着溝６１に対し、ストレーナ７０を装着する場合、先ず、図５に示すように、ストレーナ７０の両開口部領域７４両端の間の間隔寸法Ｗをストレーナ装着溝６１の直径寸法２Ｒａよりも適宜に大きくなるように拡開変形させる。この状態で、ストレーナ７０をストレーナ装着溝６１の外周面から同ストレーナ装着溝６１嵌込む。
その後、ストレーナ７０を解放することで、ストレーナ７０が自身の復元力によってストレーナ装着部に装着される（図２参照）。
【００２４】
図２に示すように、ストレーナ装着溝６１の外周面にストレーナ７０が自身の復元力によって装着された状態において、ストレーナ７０の両開口部領域７４の曲率半径Ｒは、中央部領域７１の曲率半径ｒよりも大きく、かつストレーナ装着溝６１の横断面の曲率半径Ｒａ以下に設定されている。このため、ストレーナ７０の両開口部領域７４は、ストレーナ装着溝６１の円弧面に接近して装着される。
この結果、ストレーナ７０の両開口部領域７４の両端の間の間隔寸法Ｗａがストレーナ装着溝６１の直径寸法２Ｒａよりも適宜に大きくなるように拡開変形させたときに、ストレーナ７０の中央部領域７１の一部に塑性変形による塑性域が生じたとしても、ストレーナ７０とストレーナ装着溝６１の溝底面の間に発生する隙間Ｓを小さく抑えることができる。
【００２５】
これによって、スリーブ２１の外周面２１ａからのストレーナ７０の径方向外方へのはみ出しを抑制することができる。このため、電磁弁のスリーブ２１を、例えば、ＣＶＴのバルブボディ（図示しない）の組込み部に挿入する際、ストレーナ７０の径方向のはみ出し部分が妨害物となることを抑制することができ、組み込み作業が容易となる。
また、ストレーナ７０の両開口部領域７４の曲率半径Ｒがストレーナ装着溝６１の横断面の曲率半径Ｒａとほぼ同等に設定されることで、ストレーナ７０の両開口部領域７４は、ストレーナ装着溝６１の円弧面に当接して装着される。これによって、スリーブ２１の外周面２１ａからのストレーナ７０の径方向外方へのはみ出しをより一層良好に抑制することができる。
【００２６】
また、この実施例１において、ストレーナ７０の板幅寸法（軸方向寸法）よりも僅かに大きい溝幅寸法をもつストレーナ装着溝６１にストレーナ７０が装着されることで、ストレーナ７０の軸方向の動きを規制することができる。このため、ストレーナ装着溝６１に対しストレーナ７０が軸方向へ不測に位置ずれすることを抑制することができる。
また、ストレーナ装着溝６１にストレーナ７０が装着されることで、ストレーナ装着溝６１の溝深さに相当する分だけスリーブ２１の外周面に対するストレーナ７０の径方向外方へのはみ出しを抑制することができる。
【００２７】
また、この実施例１において、ストレーナ装着溝６１の溝深さ寸法がストレーナ７０の板厚寸法よりも大きく設定されているため、ストレーナ装着溝６１にストレーナ７０が装着された状態において、スリーブ２１の外周面に対するストレーナ７０の径方向外方へのはみ出し抑制に効果が大きい。
【００２８】
なお、この発明は前記実施例１に限定するものではなく、この発明の要旨を逸脱しない範囲内において、種々の形態で実施することができる。
例えば、前記実施例１において、ストレーナ７０は、中央部領域７１と、両開口部領域７４との二つの異なる曲率半径ｒ、Ｒで構成される場合を例示したが、中央部領域７１と、両開口部領域７４との中間に第３の曲率半径をもつ中間部を形成してもこの発明を実施することができる。
また、電磁弁のスリーブに形成される出力ポートや入力ポート以外の各種ポートの開口部に対応するスリーブの外周面部分に対し、ストレーナ装着部を形成し、このストレーナ装着部にストレーナを装着する場合においてもこの発明を実施することができる。
【符号の説明】
【００２９】
２１  スリーブ
３０  出力ポート（ポート）
４０  入力ポート（ポート）
６０  ストレーナ装着部
６１、６５  ストレーナ装着溝
７０、８０  ストレーナ
７１  中央部領域
７４  両開口部領域
【図１】
2014167321.tif 000003
【図２】
2014167321.tif 000004
【図３】
2014167321.tif 000005
【図４】
2014167321.tif 000006
【図５】
2014167321.tif 000007
【図６】
2014167321.tif 000008
【図７】
2014167321.tif 000009